(57)【要約】【課題】データストリームを配信するデータストリーム配信システムにおいて、伝送路に伝送障害が発生した場合に迅速な対策を実施し、配信中断時間を最小限に抑えること。【解決手段】データストリームの受信を要求する可能性のある全データストリーム受信端末Ｒ１〜Ｒ８に接続されているノード１０〜４０に向けて、データストリーム配信端末Ｇ１〜Ｇ３からデータストリームのマルチキャスト配信を実施する。また、各ノード内に、正常時および伝送障害発生時の双方の配信経路情報を保持しておき、伝送障害発生時には、伝送障害発生時に対応する配信経路情報への迅速な切り替えを実施し、迂回配信経路による配信を継続する。【選択図】図１
2006197470.tif 000002
【特許請求の範囲】
【請求項１】
データストリームを特定の端末に配信するデータストリーム配信システムであって、
ルーティング機能を持つ複数のノードを複数の伝送路により接続して構成されるネットワークと、
前記ノードに接続され、前記ネットワークを介して前記データストリームを配信するデータストリーム配信端末と、
前記ノードに接続され、前記ネットワークを介して前記データストリーム配信端末から配信されるデータストリームを受信するデータストリーム受信端末とを備え、
前記データストリーム配信端末は、前記データストリームを、その配信要求の有無に関わらず、自端末に接続されたノードに配信し、
前記ノードは、前記データストリームの受信を要求する可能性のある前記データストリーム受信端末（以下、受信可能端末という）に接続されているノードに前記データストリームを配信するための配信経路を示す配信経路情報を記憶する配信経路情報記憶手段と、前記データストリーム配信端末から配信されたデータストリームを前記配信経路情報にしたがって配信する配信手段と、前記受信可能端末からのデータストリーム受信要求に応じて、前記配信経路で配信されてきたデータストリームを前記受信可能端末に送信する送信手段と、前記複数の伝送路に発生した伝送障害を検出する伝送障害検出手段とを備え、
前記配信経路情報は、前記複数の伝送路に伝送障害が発生していないときのシステム構成での前記配信経路（以下第１の配信経路という）を示す第１の配信経路情報と、前記複数の伝送路に伝送障害が発生したときのシステム構成での前記配信経路（以下第２の配信経路という）を示す第２の配信経路情報とを含み、
前記配信手段は、前記伝送障害検出手段により伝送障害が検出されない場合、前記第１の配信経路情報にしたがって前記配信を行い、前記伝送障害検出手段により伝送障害が検出された場合、前記第２の配信経路情報にしたがって前記配信を行うデータストリーム配信システム。
【請求項２】
請求項１記載のデータストリーム配信システムであって、
前記データストリーム配信システムのシステム構成を示すシステム構成情報と、前記データストリーム配信端末と前記データストリーム配信端末から配信されるデータストリームの受信を要求する可能性のある受信可能端末とを対応付けた情報と、前記配信されるべきデータストリームのデータ量を示すデータ量情報とに基づき、前記伝送障害が発生していないときのシステム構成において前記第１の配信経路を決定し、前記伝送障害が発生したときのシステム構成において前記第２の配信経路を決定する配信経路決定装置と、
前記決定した配信経路を示す前記配信経路情報を前記複数のノードに配信する配信経路情報配信装置とを備えるデータストリーム配信システム。
【請求項３】
請求項２記載のデータストリーム配信システムであって、
前記配信経路決定装置は、前記第１の配信経路及び前記第２の配信経路を、前記伝送路を流れるデータストリームのデータ量の総和が該伝送路の伝送容量に収まるように決定するデータストリーム配信システム。
【請求項４】
ルーティング機能を持つ複数のノードを複数の伝送路により接続して構成されるネットワークと、前記ノードに接続され、前記ネットワークを介して前記データストリームを配信するデータストリーム配信端末と、前記ノードに接続され、前記ネットワークを介して前記データストリーム配信端末から配信されるデータストリームを受信するデータストリーム受信端末とを備えるデータストリーム配信システムに用いる前記ノードであって、
前記データストリームの受信を要求する可能性のある前記データストリーム受信端末（以下、受信可能端末という）に接続されているノードに前記データストリームを配信するための配信経路を示す配信経路情報を記憶する配信経路情報記憶手段と、
前記データストリーム配信端末から配信されたデータストリームを前記配信経路情報にしたがって配信する配信手段と、
前記受信可能端末からのデータストリーム受信要求に応じて、前記配信経路で配信されてきたデータストリームを前記受信可能端末に送信する送信手段と、
前記複数の伝送路に発生した伝送障害を検出する伝送障害検出手段とを備え、
前記配信経路情報は、前記複数の伝送路に伝送障害が発生していないときのシステム構成での前記配信経路（以下第１の配信経路という）を示す第１の配信経路情報と、前記複数の伝送路に伝送障害が発生したときのシステム構成での前記配信経路（以下第２の配信経路という）を示す第２の配信経路情報とを含み、
前記配信手段は、前記伝送障害検出手段により伝送障害が検出されない場合、前記第１の配信経路情報にしたがって前記配信を行い、前記伝送障害検出手段により伝送障害が検出された場合、前記第２の配信経路情報にしたがって前記配信を行うノード。
【請求項５】
請求項４記載のノードであって、
前記第１の配信経路は、前記データストリーム配信システムのシステム構成を示すシステム構成情報と、前記データストリーム配信端末と前記データストリーム配信端末から配信されるデータストリームの受信を要求する可能性のある受信可能端末とを対応付けた情報と、前記配信されるべきデータストリームのデータ量を示すデータ量情報とに基づき、前記伝送障害が発生していないときのシステム構成において決定されたものであり、
前記第２の配信経路は、前記データストリーム配信システムのシステム構成を示すシステム構成情報と、前記データストリーム配信端末と前記データストリーム配信端末から配信されるデータストリームの受信を要求する可能性のある受信可能端末とを対応付けた情報と、前記配信されるべきデータストリームのデータ量を示すデータ量情報とに基づき、前記伝送障害が発生したときのシステム構成において決定されたものであるノード。
【請求項６】
請求項５記載のノードであって、
前記第１の配信経路及び前記第２の配信経路は、前記伝送路を流れるデータストリームのデータ量の総和が該伝送路の伝送容量に収まるように決定されたものであるノード。
【請求項７】
請求項４〜６のいずれか記載のノードに記憶される前記配信経路情報の前記配信経路を決定する配信経路決定装置であって、
前記データストリーム配信システムのシステム構成を示すシステム構成情報と、前記データストリーム配信端末と前記データストリーム配信端末から配信されるデータストリームの受信を要求する可能性のある受信可能端末とを対応付けた情報と、前記配信されるべきデータストリームのデータ量を示すデータ量情報とに基づき、前記伝送障害が発生していないときのシステム構成において前記第１の配信経路を決定し、前記伝送障害が発生したときのシステム構成において前記第２の配信経路を決定する配信経路決定装置。
【請求項８】
請求項７記載の配信経路決定装置であって、
前記第１の配信経路及び前記第２の配信経路を、前記伝送路を流れるデータストリームのデータ量の総和が該伝送路の伝送容量に収まるように決定する配信経路決定装置。
【請求項９】
コンピュータを、請求項７又は８記載の配信経路決定装置として機能させるための配信経路決定プログラム。
【発明の詳細な説明】
【技術分野】
【０００１】
本発明は、データストリームを特定の端末に配信するデータストリーム配信システムに関する。
【背景技術】
【０００２】
通信ネットワークにおいて、伝送障害が生じた場合の対策技術としては、例えば、トラブルチケット検索を利用して、過去の障害履歴を参照可能とし、障害に対する解決方法を迅速に得ることができるようにするもの（特許文献１）、あるいは、ネットワークの構成情報と稼働統計情報をデータベース化し、このデータベースを利用して、障害対策内容を自動的に表示しようとするもの（特許文献２）がある。
【０００３】
通信ネットワークにおける障害は偶発的であって予測ができず、また、ネットワークを介した通信状況は時間と共に変化しているため、直接の対策を立てるのがむずかしい。よって、現実的には、上記特許文献にみられるように、障害が発生した後、過去の履歴やデータベースを参照して最良の方法を導き出すというような、障害対策管理や障害分析支援といった間接的な対策を充実させる手法が採られる。
【０００４】
また、近年、音声データや映像データを含むデータストリームをＩＰネットワークを介して配信する際に、マルチキャスト伝送を利用する提案がなされている。マルチキャスト伝送は、多数の端末に対してデータストリームを同報通信する方式であり、同じデータストリームが異なる伝送経路に併行して配信されるために、通信形態としては、ユニキャスト配信に比べて冗長性が高く、障害対策上は有利な構成といえる。
【０００５】
マルチキャストを利用したデータストリーム配信の通信プロトコルとしては、ＩＥＴＦによるプロトコル仕様が存在し（非特許文献１参照）、このマルチキャスト配信の通信プロトコルでも、障害対策について定められている。このプロトコル仕様に準拠した障害対策の内容は以下のとおりである。
【０００６】
まず、データストリーム受信端末Ａにおいてデータストリーム配信端末Ｂに対するデータストリームｂの配信要求が発生した時点で、データストリームｂの配信要求メッセージがデータストリーム受信端末Ａからデータストリーム配信端末Ｂに向けて送信される。この配信要求メッセージがノード間を中継されてデータストリーム配信端末Ｂへ到達すると、データストリーム配信端末Ｂからデータストリーム配信端末Ａに向けてデータストリームｂの送出が開始される。この際、配信要求メッセージの中継経路に沿って、各ノードにおいてルーティングテーブルが構成されることによって、データストリーム配信端末Ｂからデータストリーム受信端末Ａへ至るデータストリームｂの配信経路が構成される。
【０００７】
このようなルーティングテーブルの構成は、ルーティングプロトコルを用いて行われ、データストリーム受信端末からデータストリーム配信端末へ至る最短経路での配信経路が常に構成される。
【０００８】
そして、データストリームの配信経路上の伝送路に何らかの伝送障害が発生した場合には、当該伝送路に接続された両端のノードのうちで、データストリーム受信端末により近いノード（すなわち該データストリームの配信においてより下流に位置するノード）がこの伝送障害を検出する。その後、伝送障害を検出したノードは、改めて上記と同様のデータストリーム受信要求をデータストリーム配信端末に向けて送信し、この受信要求メッセージが再びノード間を中継されて該当のデータストリーム配信端末へ到達することによってデータストリームの送出が再開されることになる。
【０００９】
このように、マルチキャスト伝送を利用したデータストリーム配信システムでは、障害を検出した下流ノードが、データストリームの受信要求を再送出し、ルーティングプロトコルを用いて新たな配信経路が構築されることで、障害発生後においても、データストリームの受信が可能となる。
【００１０】
【特許文献１】特開平６−３２６７５１号公報
【特許文献２】特開２００３−１５２７２１号公報
【非特許文献１】ＩＥＴＦプロトコル仕様ＲＦＣ２３６２(Protocol Independent Multicast-Sparse Mode (PIM-SM))
【発明の開示】
【発明が解決しようとする課題】
【００１１】
上記のとおり、マルチキャスト伝送を利用したストリーム配信システムにおいては、データストリームの配信経路上の伝送路に何らかの伝送障害が発生した場合は、その伝送障害が検出された後に、改めて配信経路の再構築が行われる。
【００１２】
しかし、このような配信経路の再構築が各データストリームのそれぞれについて逐次ルーティングプロトコルを用いて行われるため、伝送障害が発生した伝送路を介して配信されていた全てのデータストリームの配信経路が再構築されるまでに長時間を要する。よって、その間、当該データストリームの配信を停止せざるを得ない。
【００１３】
本発明は上記事情に鑑みてなされたものであり、伝送障害が発生した場合でも、代替配信経路を迅速に構築し、データストリームの配信の中断時間を最小限に抑制することができる高信頼度のデータストリーム配信システムを提供することを目的とする。
【課題を解決するための手段】
【００１４】
本発明のデータストリーム配信システムは、データストリームを特定の端末に配信するデータストリーム配信システムであって、ルーティング機能を持つ複数のノードを複数の伝送路により接続して構成されるネットワークと、前記ノードに接続され、前記ネットワークを介して前記データストリームを配信するデータストリーム配信端末と、前記ノードに接続され、前記ネットワークを介して前記データストリーム配信端末から配信されるデータストリームを受信するデータストリーム受信端末とを備え、前記データストリーム配信端末は、前記データストリームを、その配信要求の有無に関わらず、自端末に接続されたノードに配信し、前記ノードは、前記データストリームの受信を要求する可能性のある前記データストリーム受信端末（以下、受信可能端末という）に接続されているノードに前記データストリームを配信するための配信経路を示す配信経路情報を記憶する配信経路情報記憶手段と、前記データストリーム配信端末から配信されたデータストリームを前記配信経路情報にしたがって配信する配信手段と、前記受信可能端末からのデータストリーム受信要求に応じて、前記配信経路で配信されてきたデータストリームを前記受信可能端末に送信する送信手段と、前記複数の伝送路に発生した伝送障害を検出する伝送障害検出手段とを備え、前記配信経路情報は、前記複数の伝送路に伝送障害が発生していないときのシステム構成での前記配信経路（以下第１の配信経路という）を示す第１の配信経路情報と、前記複数の伝送路に伝送障害が発生したときのシステム構成での前記配信経路（以下第２の配信経路という）を示す第２の配信経路情報とを含み、前記配信手段は、前記伝送障害検出手段により伝送障害が検出されない場合、前記第１の配信経路情報にしたがって前記配信を行い、前記伝送障害検出手段により伝送障害が検出された場合、前記第２の配信経路情報にしたがって前記配信を行う。
【００１５】
この構成により、データストリーム配信端末から配信されるデータストリームの配信経路が固定となるため、最適な配信経路を選択しておくことができ、データストリームの配信を高品質で行うことができる。又、受信可能端末に接続されているノードには、その受信可能端末から受信要求される可能性のあるデータストリームが常に存在することになるため、データストリームの配信を迅速に行うことができる。又、受信を希望するデータストリームを別のデータストリームに切り替える場合でも、その切り替えを迅速に行うことができる。又、各ノードが第１の配信経路情報及び第２の配信経路情報を記憶しているため、伝送路に伝送障害が発生した場合でも、配信経路をその伝送障害に対応した他の配信経路に即座に切り替えることができる。
【００１６】
本発明のデータストリーム配信システムは、前記データストリーム配信システムのシステム構成を示すシステム構成情報と、前記データストリーム配信端末と前記データストリーム配信端末から配信されるデータストリームの受信を要求する可能性のある受信可能端末とを対応付けた情報と、前記配信されるべきデータストリームのデータ量を示すデータ量情報とに基づき、前記伝送障害が発生していないときのシステム構成において前記第１の配信経路を決定し、前記伝送障害が発生したときのシステム構成において前記第２の配信経路を決定する配信経路決定装置と、前記決定した配信経路を示す前記配信経路情報を前記複数のノードに配信する配信経路情報配信装置とを備える。
【００１７】
この構成により、伝送障害が発生していない場合に対応する配信経路と、伝送障害が発生した場合に対応する配信経路とを決定して各ノードに配信することができる。
【００１８】
本発明のデータストリーム配信システムは、前記配信経路決定装置が、前記第１の配信経路及び前記第２の配信経路を、前記伝送路を流れるデータストリームのデータ量の総和が該伝送路の伝送容量に収まるように決定する。
【００１９】
この構成により、特定の伝送路にデータストリームが集中してしまうといったことを防ぐことができ、通信品質を向上させることができる。
【００２０】
本発明のノードは、ルーティング機能を持つ複数のノードを複数の伝送路により接続して構成されるネットワークと、前記ノードに接続され、前記ネットワークを介して前記データストリームを配信するデータストリーム配信端末と、前記ノードに接続され、前記ネットワークを介して前記データストリーム配信端末から配信されるデータストリームを受信するデータストリーム受信端末とを備えるデータストリーム配信システムに用いる前記ノードであって、前記データストリームの受信を要求する可能性のある前記データストリーム受信端末（以下、受信可能端末という）に接続されているノードに前記データストリームを配信するための配信経路を示す配信経路情報を記憶する配信経路情報記憶手段と、前記データストリーム配信端末から配信されたデータストリームを前記配信経路情報にしたがって配信する配信手段と、前記受信可能端末からのデータストリーム受信要求に応じて、前記配信経路で配信されてきたデータストリームを前記受信可能端末に送信する送信手段と、前記複数の伝送路に発生した伝送障害を検出する伝送障害検出手段とを備え、前記配信経路情報は、前記複数の伝送路に伝送障害が発生していないときのシステム構成での前記配信経路（以下第１の配信経路という）を示す第１の配信経路情報と、前記複数の伝送路に伝送障害が発生したときのシステム構成での前記配信経路（以下第２の配信経路という）を示す第２の配信経路情報とを含み、前記配信手段は、前記伝送障害検出手段により伝送障害が検出されない場合、前記第１の配信経路情報にしたがって前記配信を行い、前記伝送障害検出手段により伝送障害が検出された場合、前記第２の配信経路情報にしたがって前記配信を行う。
【００２１】
この構成により、データストリーム配信端末から配信されるデータストリームの配信経路が固定となるため、最適な配信経路を選択することができ、データストリームの配信を高品質で行うことができる。又、受信可能端末に接続されているノードには、その受信可能端末から受信要求される可能性のあるデータストリームが常に存在することになるため、データストリームの配信を迅速に行うことができる。又、受信を希望するデータストリームを別のデータストリームに切り替える場合でも、その切り替えを迅速に行うことができる。又、各ノードが第１の配信経路情報及び第２の配信経路情報を記憶しているため、伝送路に伝送障害が発生した場合でも、配信経路をその伝送障害に対応した他の配信経路に即座に切り替えることができる。
【００２２】
本発明のノードは、前記第１の配信経路が、前記データストリーム配信システムのシステム構成を示すシステム構成情報と、前記データストリーム配信端末と前記データストリーム配信端末から配信されるデータストリームの受信を要求する可能性のある受信可能端末とを対応付けた情報と、前記配信されるべきデータストリームのデータ量を示すデータ量情報とに基づき、前記伝送障害が発生していないときのシステム構成において決定されたものであり、前記第２の配信経路は、前記データストリーム配信システムのシステム構成を示すシステム構成情報と、前記データストリーム配信端末と前記データストリーム配信端末から配信されるデータストリームの受信を要求する可能性のある受信可能端末とを対応付けた情報と、前記配信されるべきデータストリームのデータ量を示すデータ量情報とに基づき、前記伝送障害が発生したときのシステム構成において決定されたものである。
【００２３】
本発明のノードは、前記第１の配信経路及び前記第２の配信経路が、前記伝送路を流れるデータストリームのデータ量の総和が該伝送路の伝送容量に収まるように決定されたものである。
【００２４】
この構成により、特定の伝送路にデータストリームが集中してしまうといったことを防ぐことができ、通信品質を向上させることができる。
【００２５】
本発明の配信経路決定装置は、前記ノードに記憶される前記配信経路情報の前記配信経路を決定する配信経路決定装置であって、前記データストリーム配信システムのシステム構成を示すシステム構成情報と、前記データストリーム配信端末と前記データストリーム配信端末から配信されるデータストリームの受信を要求する可能性のある受信可能端末とを対応付けた情報と、前記配信されるべきデータストリームのデータ量を示すデータ量情報とに基づき、前記伝送障害が発生していないときのシステム構成において前記第１の配信経路を決定し、前記伝送障害が発生したときのシステム構成において前記第２の配信経路を決定する。
【００２６】
この構成により、伝送障害が発生していない場合に対応する配信経路と、伝送障害が発生した場合に対応する配信経路とを決定して各ノードに配信しておくことが可能となる。
【００２７】
本発明の配信経路決定装置は、前記第１の配信経路及び前記第２の配信経路を、前記伝送路を流れるデータストリームのデータ量の総和が該伝送路の伝送容量に収まるように決定する。
【００２８】
この構成により、特定の伝送路にデータストリームが集中してしまうといったことを防ぐことができ、通信品質を向上させることができる。
【００２９】
本発明の配信経路決定プログラムは、コンピュータを、前記配信経路決定装置として機能させるためのプログラムである。
【発明の効果】
【００３０】
本発明によれば、伝送障害が発生した場合でも、代替配信経路を迅速に構築し、データストリームの配信の中断時間を最小限に抑制することができる高信頼度のデータストリーム配信システムを提供することができる。
【発明を実施するための最良の形態】
【００３１】
本発明の実施形態について、図面を参照して説明する。
【００３２】
まず、本実施形態のデータストリーム配信システムの特徴について簡単に説明する。
本実施形態のデータストリーム配信システムでは、データストリームの受信を要求する可能性のある全データストリーム受信端末を事前に洗い出し、その全データストリーム受信端末の各々に接続されているノードまで、該データストリームの配信を実施するという通信方式を採用する。
【００３３】
データストリームの受信を要求する可能性のある全データストリーム受信端末の洗い出しは、データストリームの受信予約状況や過去の実績（受信履歴情報）を考慮して推定することができる。例えば、ペイパービュー方式のコンテンツ視聴は、予め予約が必要であるし、その予約状況から各データストリーム受信端末のコンテンツの視聴可能性を予測することができる。また、過去の視聴実績を考慮して、各データストリーム受信端末のコンテンツ視聴可能性を推定することもできる。
【００３４】
このような観点から、本実施形態のデータストリーム配信システムは、データストリームの受信を要求する可能性のある全データストリーム受信端末を一意に特定し、それらの全データストリーム受信端末に接続されるノードに向けて、該データストリームを予め配信するようにしたものである。
【００３５】
このような特徴をもつデータストリーム配信システムについて、以下、具体的に説明する。
【００３６】
図１は、本発明の実施形態を説明するためのデータストリーム配信システムの概略構成を示す図である。
図１に示すデータストリーム配信システム１００は、パケットルーティング機能を持つ複数のノード１０，２０，３０，４０を伝送路Ｌ１２，Ｌ１３，Ｌ１４，Ｌ２４，Ｌ３４により接続して構成されるコアネットワーク（基幹ネットワーク：ＩＰネットワークインフラの中核をなすネットワークであり、専用ネットワーク、汎用ネットワークを問わない）と、コアネットワークを介して映像データや音声データ等のデータストリームを配信するデータストリーム配信端末Ｇ１，Ｇ２，Ｇ３と、コアネットワークを介してデータストリーム配信端末Ｇ１，Ｇ２，Ｇ３から配信されるデータストリームを受信するデータストリーム受信端末Ｒ１，Ｒ２，Ｒ３，Ｒ４，Ｒ５，Ｒ６，Ｒ７，Ｒ８と、コアネットワーク内でデータストリームがマルチキャスト配信されるときのその配信経路（マルチキャスト経路）を決定する配信経路決定装置５０と、配信経路決定装置５０により決定された配信経路を示す配信経路情報（ルーティングテーブル）を各ノード１０〜４０に配信する配信経路情報配信装置６０とを備える。
【００３７】
各ノード１０〜４０は、マルチキャスト伝送に対応している通信装置であり、ルータやパケットスイッチ（高速、大容量の交換機等）等が該当する。各ノード１０〜４０は、伝送路Ｌ１２〜Ｌ３４によって、図示されるように相互に接続されている。各伝送路の伝送容量は、例えば、１０Ｍビット／秒である。
【００３８】
データストリーム配信端末Ｇ１〜Ｇ３は、例えば、歌手のコンサートを実況するためのカメラ（このカメラで撮影されたデータをリアルタイムでマルチキャスト配信するＩＰ通信機器を含む）や、映画コンテンツを配信するコンテンツ配信サーバである。データストリーム配信端末Ｇ１〜Ｇ３は、自端末の持つデータストリームを、その配信要求の有無に関わらず、自端末に接続されたノードに配信する。
【００３９】
データストリーム受信端末Ｒ１〜Ｒ８は、例えば、歌手のコンサートを視聴するためのモニタ装置（ＩＰパケットの送受信機能を備える）である。
【００４０】
ノード１０には、データストリーム配信端末Ｇ１，Ｇ２，Ｇ３が、例えば、ＬＡＮを介して接続されている（図中、このＬＡＮは直線で描かれている。以下、同様である）。
【００４１】
ノード２０には、データストリーム受信端末Ｒ１，Ｒ２がＬＡＮを介して接続されている。
【００４２】
ノード３０には、データストリーム受信端末Ｒ６，Ｒ７，Ｒ８がＬＡＮを介して接続されている。
【００４３】
ノード４０には、データストリーム受信端末Ｒ３，Ｒ４，Ｒ５がＬＡＮを介して接続されている。
【００４４】
図２は、図１に示す各ノードの内部構成を示すブロック図である。
図２に示すように、各ノード１０〜４０は、他のノード、データストリーム配信端末、及びデータストリーム受信端末と接続される通信ポートを利用してデータストリームの送受信を行う送受信部８２（特許請求の範囲の配信手段，送信手段に該当）と、ノード全体を統括制御する制御部８４と、ＲＯＭやＲＡＭやハードディスク等の記憶部８６（特許請求の範囲の配信経路情報記憶手段に該当）とを備える。
【００４５】
記憶部８６には、各データストリーム配信端末Ｇ１〜Ｇ３から配信されるデータストリームを、各データストリーム配信端末Ｇ１〜Ｇ３に接続されているノードから、該データストリームの受信を要求する可能性のあるデータストリーム受信端末（以下、受信可能端末という）に接続されているノードまで配信するための配信経路を示す配信経路情報が記憶される。また、記憶部８６には、自ノード宛に配信されてきたデータストリームが記憶される。
【００４６】
この配信経路情報には、各伝送路Ｌ１２〜Ｌ３４に伝送障害が発生していない場合に対応する第１の配信経路を示す第１の配信経路情報と、各伝送路Ｌ１２〜Ｌ３４に伝送障害が発生している場合に対応する第２の配信経路を示す第２の配信経路情報とが含まれる。
【００４７】
制御部８４は、所定のプログラムによって動作するプロセッサを主体に構成される。制御部８４には、配信経路情報管理部８４ａと、配信制御部８４ｂと、送信制御部８４ｃと、伝送障害検出部８４ｄとが含まれる。
【００４８】
伝送障害検出部８４ｄは、各伝送路Ｌ１２〜Ｌ３４に伝送障害が発生したことを検出する。この伝送障害の検出は、他のノード又は配信経路情報配信装置６０から配信されてくる伝送障害検出信号（どの伝送路で伝送障害が発生したかを示す信号）を送受信部８２を介して受信することで検出する。
【００４９】
伝送障害検出部８４ｄは、伝送障害検出信号の受信以外に、自ノードに接続される伝送路に接続されている他のノードからの受信信号の切断の検出、該他のノードと定期的にやりとりされる疎通確認パケットの未受信の検出等の方法によっても、伝送障害を検出することができる。伝送障害検出部８４ｄは、この方法で伝送障害を検出した場合、その旨を示す上記伝送障害検出信号を、送受信部８２を介して他のノードに送信させる。尚、伝送障害検出部８４ｄは、上記伝送障害検出信号を配信経路情報配信装置６０に一旦送信させ、ここから各ノードに配信させるようにしても良い。
【００５０】
配信経路情報管理部８４ａは、第１の配信経路情報及び第２の配信経路情報を配信経路情報配信装置６０から送受信部８２を介して受信し、これを記憶部８６に記憶して管理する。
【００５１】
配信制御部８４ｂは、データストリーム配信端末Ｇ１〜Ｇ３から配信されたデータストリームを送受信部８２を介して受信し、受信したデータストリームの最終的な宛先が自ノードであった場合には、そのデータストリームを記憶部８６に記憶する。一方、受信したデータストリームの最終的な宛先が自ノードでなかった場合には、記憶部８６に記憶されている、受信したデータストリームの第１の配信経路情報又は第２の配信経路情報にしたがって、そのデータストリームを送受信部８２から他のノードに配信させる。
【００５２】
配信制御部８４ｂは、データストリームを配信するにあたり、伝送障害検出部８４ｄにより伝送障害が検出されていない場合には、第１の配信経路情報にしたがって配信を行い、伝送障害検出部８４ｄにより伝送障害が検出された場合には、第２の配信経路情報にしたがって配信を行う。
【００５３】
送信制御部８４ｃは、自ノードに接続されているデータストリーム受信端末のいずれかからデータストリームの受信要求が行われた場合、その受信要求に応じて、要求されたデータストリームを記憶部８６から読み出し、それを、要求元のデータストリーム受信端末に送受信部８２から送信させる。
【００５４】
図１に戻り、ノード１０には、配信経路情報配信装置６０が接続されている。配信経路情報配信装置６０は、配信経路決定装置５０により決定されたデータストリームのコアネットワーク内での配信経路を示す配信経路情報（第１の配信経路情報及び第２の配信経路情報）を、各ノード１０〜４０及び各伝送路Ｌ１２〜Ｌ３４を介して各ノード１０〜４０に配信する。
【００５５】
配信経路情報配信装置６０には、配信経路決定装置５０により決定された配信経路を示す配信経路情報（第１の配信経路情報及び第２の配信経路情報）が、オンラインあるいはオフラインで入力される。
【００５６】
図３は、図１に示す配信経路決定装置の内部構成を示すブロック図である。
配信経路決定装置５０は、例えばコンピュータであり、図３に示すように、各データストリーム配信端末Ｇ１〜Ｇ３と、各データストリーム配信端末Ｇ１〜Ｇ３から配信されるデータストリームの受信を要求する可能性のある受信要求端末とを対応付けた情報６２、データストリーム配信システム１００のシステム構成（各構成要素の接続関係、各伝送路Ｌ１２〜Ｌ３４の伝送容量等）を示すシステム構成情報、及び各データストリーム配信端末Ｇ１〜Ｇ３から配信される各データストリームのデータ量を示すデータ量情報等を記憶するハードディスク等の記憶部６４と、記憶部６４に記憶されている情報に基づいて各データストリームの配信経路を１つ決定する配信経路決定部７０とを備える。尚、記憶部６４は、配信経路決定装置５０からアクセス可能な外部サーバ内に設けてあっても良い。
【００５７】
本実施形態においては、情報６２に示したように、データストリーム配信端末Ｇ１から配信されるデータストリーム（以下ｇ１とする）の受信を要求する可能性のある受信要求端末はデータストリーム受信端末Ｒ１〜Ｒ８であり、データストリーム配信端末Ｇ２から配信されるデータストリーム（以下ｇ２とする）の受信を要求する可能性のある受信要求端末はデータストリーム受信端末Ｒ１〜Ｒ５であり、データストリーム配信端末Ｇ３から配信されるデータストリーム（以下ｇ３とする）の受信を要求する可能性のある受信要求端末はデータストリーム受信端末Ｒ３〜Ｒ８であるものとする。
【００５８】
配信経路決定部７０は、配信経路決定プログラムによって動作するプロセッサを主体に構成される。
配信経路決定部７０は、各データストリーム配信端末Ｇ１〜Ｇ３に接続されているノードから各データストリーム配信端末Ｇ１〜Ｇ３に対応する受信対応端末に接続されているノードまで配信すべき各データストリームの配信経路を、上記情報６２、システム構成情報、及びデータ量情報に基づいて決定する。
【００５９】
配信経路決定部７０は、各伝送路Ｌ１３〜Ｌ３４に伝送障害が発生していないと仮定したときのシステム構成において、各データストリームの配信経路（第１の配信経路）を決定し、各伝送路Ｌ１３〜Ｌ３４に伝送障害が発生していると仮定したときのシステム構成において、各データストリームの配信経路（第２の配信経路）を決定する。第２の配信経路については、各伝送路Ｌ１３〜Ｌ３４に発生しうる伝送障害の全てのパターンに対応した数のものを決定する。例えば、伝送路Ｌ１２に伝送障害が発生したときのシステム構成において第２の配信経路を１つ決定し、伝送路Ｌ１２及びＬ１３に伝送障害が発生したときのシステム構成において第２の配信経路を１つ決定するといった具合である。
【００６０】
また、配信経路決定部７０は、この配信経路（第１の配信経路及び第２の配信経路）を、各データストリームの配信品質の低下を防ぐことが可能な最適なものに決定することが好ましい。配信経路決定部７０は、決定した各データストリームの配信経路（第１の配信経路及び第２の配信経路）を示す配信経路情報（第１の配信経路情報及び第２の配信経路情報）を外部に出力する。
【００６１】
図４は、図１に示す配信経路情報配信装置の内部構成を示すブロック図である。
配信経路情報配信装置６０は、例えばコンピュータであり、図４に示すように、配信経路決定装置５０から出力された配信経路情報（第１の配信経路情報及び第２の配信経路情報）を入力するための入力インターフェース６５と、入力インターフェース６５により入力された配信経路情報（第１の配信経路情報及び第２の配信経路情報）を、ノード１０を介して各ノード１０〜４０に配信する配信部６７とを備える。尚、配信経路決定装置５０及び配信経路情報配信装置６０の各機能は、同一のコンピュータで実現することも可能である。
【００６２】
以上の構成をもつデータストリーム配信システム１００の具体的な動作を説明する。
本実施形態では、図３の情報６２に示したように、データストリーム配信端末Ｇ１から配信されるデータストリームｇ１は、データストリーム受信端末Ｒ１〜Ｒ８、即ちシステム内のすべてのデータストリーム受信端末においてその受信を要求される可能性があり、データストリーム配信端末Ｇ２から配信されるデータストリームｇ２は、データストリーム受信端末Ｒ１〜Ｒ５においてその受信を要求される可能性があり、データストリーム配信端末Ｇ３から配信されるデータストリームｇ３は、データストリーム受信端末Ｒ３〜Ｒ８においてその受信を要求される可能性がある。
【００６３】
このような前提の下で、配信経路決定装置５０にて、データストリーム配信端末Ｇ１〜Ｇ３から配信されるデータストリームｇ１〜ｇ３の最適な第１の配信経路及び第２の配信経路が決定される。
【００６４】
配信経路決定装置５０は、データストリーム配信端末Ｇ１が接続されたノード１０から、データストリーム受信端末Ｒ１〜Ｒ８が接続されているノード２０，３０，４０にデータストリームｇ１を配信するための配信経路と、データストリーム配信端末Ｇ２が接続されたノード１０から、データストリーム受信端末Ｒ２〜Ｒ５が接続されているノード２０，４０にデータストリームｇ２を配信するための配信経路と、データストリーム配信端末Ｇ３が接続されたノード１０から、データストリーム受信端末Ｒ３〜Ｒ８が接続されているノード３０，４０にデータストリームｇ３を配信するための配信経路との３つの配信経路を決定する。
【００６５】
配信経路決定装置５０は、伝送障害が発生していないと仮定したときのシステム構成と、伝送障害が発生していると仮定したときのシステム構成との双方において、上記３つの配信経路を決定する。３つの配信経路としての第１の配信経路は、上記情報６２、システム構成情報、及びデータ量情報に基づいて、以下の（１）〜（３）のいずれかの方法により決定される。３つの配信経路としての第２の配信経路は、上記情報６２、システム構成情報、及びデータ量情報に基づいて、以下の（１）の方法により決定される。
【００６６】
（１）配信経路決定装置５０は、データストリームの配信品質を向上させるために、任意の伝送路を流れるデータストリームのデータ量の合計が、その伝送路の伝送容量に収まるように、各配信経路を決定する。例えば、各データストリームｇ１〜ｇ３のデータ量を“１”とし、各伝送路Ｌ１２〜Ｌ３４の伝送容量を“２”とすると、配信経路決定装置５０は、１つの伝送路に３つ以上のデータストリームが流れないように、上記３つの配信経路を決定する。このように配信経路を決定することにより、各伝送路に均等にデータストリームが分配されることになり、ある伝送路に多数のデータストリームが集中して流れることによるパケットロスの発生を回避することができ、データストリームの配信品質の向上が可能となる。
【００６７】
（２）配信経路決定装置５０は、データストリームの配信品質を向上させるために、各データストリームｇ１〜ｇ３の配信に必要な伝送路Ｌ１２〜Ｌ３４の、のべ伝送容量の総和（１つの伝送路を流れるデータストリームのデータ量の総和に、その伝送路の伝送容量を乗じた値を、全伝送路について積算した値）が最小になるように、各配信経路を決定する。例えば、各データストリームｇ１〜ｇ３のデータ量を“１”とし、各伝送路Ｌ１２〜Ｌ３４の伝送容量を“２”とすると、配信経路決定装置５０は、各伝送路Ｌ１２〜Ｌ３４に流れるデータストリームの数を積算した値が最小となるように、上記３つの配信経路を決定する。このように配信経路を決定することにより、ネットワークのリソースの使用効率を高めることができる。
【００６８】
（３）配信経路決定装置５０は、データストリームの配信品質を向上させるために、任意の伝送路を流れるデータストリームのデータ量の合計が、その伝送路の伝送容量に収まり、且つ、各データストリームｇ１〜ｇ３の配信に必要な伝送路Ｌ１２〜Ｌ３４の、のべ伝送容量の総和が最小になるように、各配信経路を決定する。例えば、各データストリームｇ１〜ｇ３のデータ量を“１”とし、各伝送路Ｌ１２〜Ｌ３４の伝送容量を“２”とすると、配信経路決定装置５０は、１つの伝送路に３つ以上のデータストリームが流れず、且つ、各伝送路Ｌ１２〜Ｌ３４に流れるデータストリームの数を積算した値が最小となるように、上記４つの配信経路を決定する。このように配信経路を決定することにより、各伝送路に均等にデータストリームが分配されることになり、ある伝送路に多数のデータストリームが集中して流れることによるパケットロスの問題を解決することができ、データストリームの配信品質の向上が可能となる。又、ネットワークのリソースの使用効率を高めることもできる。
【００６９】
各伝送路Ｌ１２〜Ｌ３４に伝送障害が発生していないと仮定したシステム構成において上記（１）の方法により決定した３つの配信経路（第１の配信経路）は、例えば以下のようになる。
データストリームｇ１は、ノード１０から伝送路Ｌ１４を介してノード４０へ配信され、ノード４０から伝送路Ｌ２４を介してノード２０へ、また、ノード４０から伝送路Ｌ３４を介してノード３０へ配信される。
データストリームｇ２は、ノード１０から伝送路Ｌ１２を介してノード２０へ配信され、ノード２０から伝送路Ｌ２４を介してノード４０へ配信される。
データストリームｇ３は、ノード１０から伝送路Ｌ１３を介してノード３０へ配信され、ノード３０から伝送路Ｌ３４を介してノード４０へ配信される。
【００７０】
また、各伝送路Ｌ１２〜Ｌ３４のうち、何らかの原因（伝送路の断線や伝送路とノードの接続外れ等）によって伝送路Ｌ１４に伝送障害が発生したと仮定したシステム構成において上記（１）の方法により決定した３つの配信経路（第２の配信経路）は、例えば以下のようになる。
データストリームｇ１は、ノード１０から伝送路Ｌ１２を介してノード２０へ配信され、ノード２０から伝送路Ｌ２４を介してノード４０へ配信され、ノード４０から伝送路Ｌ３４を介してノード３０へ配信される。
データストリームｇ２は、ノード１０から伝送路Ｌ１２を介してノード２０へ配信され、ノード２０から伝送路Ｌ２４を介してノード４０へ配信される。
データストリームｇ３は、ノード１０から伝送路Ｌ１３を介してノード３０へ配信され、ノード３０から伝送路Ｌ３４を介してノード４０へ配信される。
【００７１】
図５は、図１に示すデータストリーム配信システムにおいて、各伝送路Ｌ１２〜Ｌ３４に伝送障害が発生していないときに対応するデータストリームの第１の配信経路を示した図である。尚、図５では、データストリーム配信端末Ｇ１から配信されるデータストリームｇ１を太線の矢印で示し、データストリーム配信端末Ｇ２から配信されるデータストリームｇ２を通常の矢印で示し、データストリーム配信端末Ｇ３から配信されるデータストリームｇ３を１点鎖線の矢印で示した。
【００７２】
図６は、図１に示すデータストリーム配信システムにおいて、伝送路Ｌ１４に伝送障害が発生したときに対応するデータストリームの第２の配信経路を示した図である。尚、図６では、データストリーム配信端末Ｇ１から配信されるデータストリームｇ１を太線の矢印で示し、データストリーム配信端末Ｇ２から配信されるデータストリームｇ２を通常の矢印で示し、データストリーム配信端末Ｇ３から配信されるデータストリームｇ３を１点鎖線の矢印で示した。
【００７３】
配信経路決定装置５０により図５，図６に示したような第１の配信経路及び第２の配信経路が決定されると、その配信経路を示す第１の配信経路情報及び第２の配信経路情報が配信経路情報配信装置６０から各ノード１０〜４０に配信される。各ノード１０〜４０に配信された第１の配信経路情報及び第２の配信経路情報は、各ノード１０〜４０の記憶部８６に記憶される。これにより、各ノード１０〜４０には、各データストリームｇ１〜ｇ３の第１の配信経路情報及び第２の配信経路情報が静的に保持された状態となり、各ノード１０〜４０は、この第１の配信経路情報又は第２の配信経路情報にしたがってルーティングを行うことになる。
【００７４】
次に、各伝送路Ｌ１２〜Ｌ３４に伝送障害が発生していない場合の動作について説明する。
データストリーム配信端末Ｇ１からは、データストリームｇ１の配信要求の有無に関わらず、データストリームｇ１がノード１０に配信される。各伝送路Ｌ１２〜Ｌ３４に伝送障害は発生していないため、各ノード１０〜４０の伝送障害検出部８４ｄは伝送障害を検出しない。したがって、各ノード１０〜４０は、記憶部８６に記憶されている第１の配信経路情報にしたがい、図５に示すような第１の配信経路でデータストリームｇ１をノード２０，３０，４０に配信する。
【００７５】
データストリーム配信端末Ｇ２からは、データストリームｇ２の配信要求の有無に関わらず、データストリームｇ２がノード１０に配信される。各伝送路Ｌ１２〜Ｌ３４に伝送障害は発生していないため、各ノード１０〜４０は、記憶部８６に記憶されている第１の配信経路情報にしたがい、図５に示すような第１の配信経路でデータストリームｇ２をノード２０，４０に配信する。
【００７６】
データストリーム配信端末Ｇ３からは、データストリームｇ３の配信要求の有無に関わらず、データストリームｇ３がノード１０に配信される。各伝送路Ｌ１２〜Ｌ３４に伝送障害は発生していないため、各ノード１０〜４０は、記憶部８６に記憶されている第１の配信経路情報にしたがい、図５に示すような第１の配信経路でデータストリームｇ３をノード３０，４０に配信する。
【００７７】
この状態で、伝送路Ｌ１４に伝送障害が発生すると、ノード１０及びノード４０の少なくとも一方の伝送障害検出部８４ｄによって、その伝送障害が検出される。そして、ノード１０及びノード４０の少なくとも一方は、伝送障害検出信号を他のノード２０，３０に送信する。これにより、各ノード１０〜４０は、伝送路Ｌ１４に伝送障害が発生したことを検出する。
【００７８】
各ノード１０〜４０は、伝送路Ｌ１４に伝送障害が発生したことを検出しているため、データストリーム配信端末Ｇ１から配信されたデータストリームｇ１を、図５に示すような第１の配信経路ではなく、記憶部８６に記憶されている第２の配信経路情報のうち、伝送路Ｌ１４に伝送障害が発生した場合に対応する第２の配信経路情報にしたがった図６に示すような第２の配信経路でノード２０，３０，４０に配信する。
【００７９】
同様に、各ノード１０〜４０は、データストリーム配信端末Ｇ２から配信されたデータストリームｇ２を、記憶部８６に記憶されている第２の配信経路情報のうち、伝送路Ｌ１４に伝送障害が発生した場合に対応する第２の配信経路情報にしたがった第２の配信経路でノード２０，４０に配信する。
【００８０】
同様に、各ノード１０〜４０は、データストリーム配信端末Ｇ３から配信されたデータストリームｇ３を、記憶部８６に記憶されている第２の配信経路情報のうち、伝送路Ｌ１４に伝送障害が発生した場合に対応する第２の配信経路情報にしたがった第２の配信経路でノード３０，４０に配信する。
【００８１】
このように、データストリーム配信システム１００では、伝送障害が発生した場合、発生しない場合のいずれにおいても、各データストリームｇ１〜ｇ３が、それの受信を要求する可能性のあるデータストリーム受信端末に接続されたノードまで、常に配信された状態となっている。
【００８２】
各データストリーム受信端末Ｒ１〜Ｒ８において所望のデータストリームを受信したい場合は、各データストリーム受信端末Ｒ１〜Ｒ８から、自端末に接続されたノードに対してデータストリームの受信要求メッセージを送信して受信要求を行う。上述したように、各データストリーム受信端末Ｒ１〜Ｒ８から受信要求される可能性のあるデータストリームは、受信要求を受けたノードに既に配信されている。このため、この受信要求を受けたノードは、この要求に応じて、その要求元のデータストリーム受信端末と接続されているポートから、要求されているデータストリームの送信を開始することができる。これにより、各データストリーム受信端末Ｒ１〜Ｒ８において所望のデータストリームが受信される。
【００８３】
また、各データストリーム受信端末Ｒ１〜Ｒ８で受信しているデータストリームの受信を中止する場合には、各データストリーム受信端末Ｒ１〜Ｒ８が、自端末に接続されているノードに対して受信中止要求メッセージを送信して受信中止要求を行う。この要求を受けたノードは、要求元のデータストリーム受信端末と接続されているポートからのデータストリームの送信を停止する。
【００８４】
例えば、図５，６において、データストリーム受信端末Ｒ４がデータストリームｇ１の受信を要求する場合には、データストリーム受信端末Ｒ４がノード４０に対してデータストリームｇ１の受信要求を行う。データストリームｇ１は常にノード４０に配信されている。このため、ノード４０がデータストリーム受信端末Ｒ４と接続されたポートからデータストリームｇ１の送信を開始する操作のみで、データストリーム受信端末Ｒ４はデータストリームｇ１の受信が可能である。
【００８５】
また、データストリーム受信端末Ｒ４がデータストリームｇ１に代えて、データストリームｇ３の受信をしたい場合には、データストリーム受信端末Ｒ４がノード４０に対して、既に受信しているデータストリームｇ１の受信停止要求を行う。これにより、ノード４０はデータストリーム受信端末Ｒ４と接続されたポートからのデータストリームｇ１の送信を停止する。続いて、データストリーム受信端末Ｒ４が、ノード４０に対してデータストリームｇ３の受信要求を行うことによって、同様の手順によってデータストリームｇ３がノード４０からデータストリーム受信端末Ｒ４に送信される。
【００８６】
このように、データストリーム配信システム１００によれば、全てのデータストリーム配信端末Ｒ１〜Ｒ８からのデータストリームが、そのデータストリームの受信を要求する可能性のあるデータストリーム受信端末Ｒ１〜Ｒ８が接続されたノードに常に配信されているという状況を作り出すことができる。このため、従来例では時々刻々と変化していたデータストリームの配信経路を固定化することができ、データストリームの配信経路の設計を事前に行うことが可能となる。
【００８７】
また、データストリーム配信システム１００によれば、全てのデータストリーム配信端末Ｒ１〜Ｒ８からのデータストリームが、そのデータストリームの受信を要求する可能性のあるデータストリーム受信端末Ｒ１〜Ｒ８が接続されたノードに常に配信されているため、各データストリーム受信端末Ｒ１〜Ｒ８は、自端末に接続されているノードに対して、所望のデータストリームの受信要求を行うのみで、即座に当該データストリームを受信することが可能となる。同様に、受信の中止や、受信の切り替えも、直ちに行うことができる。
【００８８】
また、データストリーム配信システム１００によれば、各データストリームの配信経路を、各データストリーム受信端末での受信状況によらず静的に構成することが可能となり、このような静的な配信経路を各伝送路の伝送容量の範囲内で最適なものに決定しておくことが可能となるため、伝送路の伝送容量超過によるパケットロス等といった配信品質の低下を防ぐことができる。
【００８９】
また、データストリーム配信システム１００によれば、各データストリームの配信経路を決定する際に、全てのデータストリームの配信に必要な伝送路の、のべ伝送容量の総和が可能な限り小さくなるような配信経路を決定することもでき、限られたネットワーク構成のもとでより多くのデータストリームの配信、スイッチングを実現することが可能となる。
【００９０】
また、データストリーム配信システム１００によれば、各伝送路Ｌ１２〜Ｌ３４に伝送障害が発生した場合でも、その伝送障害が発生したときを仮定したときのシステム構成において決定した第２の配信経路を示す第２の配信経路情報が各ノード１０〜４０に予め記憶されているため、これにしたがって各データストリームｇ１〜ｇ３を配信することができる。したがって、従来のように、伝送障害が発生した場合に各データストリームｇ１〜ｇ３の配信経路を再構築する必要がないため、システムを迅速に復旧することができ、データストリームの配信中断時間を最小限に抑えることが可能となる。
【００９１】
また、第２の配信経路情報は、あらゆるパターンの伝送障害に対応したものを各ノード１０〜４０に記憶しておくことができるため、どのような伝送障害が起こっても、それに確実に対応することができる。
【００９２】
また、データストリーム配信システム１００によれば、第２の配信経路についても、データストリームの配信品質が劣化しないような最適な配信経路を決定しているため、伝送障害が発生した場合でも、データストリームの配信品質の低下を防ぐことができる。
【産業上の利用可能性】
【００９３】
本発明は、ネットワークの伝送障害に対する迅速な対策を実施することが可能になるため、データストリームの配信を行うデータストリーム配信システムにおいて有用である。
【図面の簡単な説明】
【００９４】
【図１】本発明の実施形態を説明するためのデータストリーム配信システムの概略構成を示す図
【図２】図１に示す各ノードの内部構成を示すブロック図
【図３】図１に示す配信経路決定装置の内部構成を示すブロック図
【図４】図１に示す配信経路情報配信装置の内部構成を示すブロック図
【図５】図１に示すデータストリーム配信システムにおいて、データストリームの第１の配信経路を示した図
【図６】図１に示すデータストリーム配信システムにおいて、データストリームの第２の配信経路を示した図
【符号の説明】
【００９５】
１０〜４０         ノード
５０  配信経路決定装置
６０  配信経路情報配信装置
Ｇ１〜Ｇ３  データストリーム配信端末
Ｒ１〜Ｒ８  データストリーム受信端末
Ｌ１２、Ｌ１３、Ｌ２４、Ｌ３４  伝送路
【図１】
2006197470.tif 000003
【図２】
2006197470.tif 000004
【図３】
2006197470.tif 000005
【図４】
2006197470.tif 000006
【図５】
2006197470.tif 000007
【図６】
2006197470.tif 000008